(57)【要約】      （修正有）【課題】３本の脚と共通脚の間に等しい磁束密度を有する磁路が形成されると共に、脚間における漏れ磁束の少ないリアクタを提供する。【解決手段】共通脚１２と、その周囲に配置された３本のコイル装着脚１１ａ〜１１ｃと、これら４本の脚の上下の端部に配置されて各脚を連結する上下のヨーク１３ｂと、前記各コイル装着脚にそれぞれ巻回されたコイルを備える。３本のコイル装着脚１１ａ〜１１ｃが同一断面形状で、各コイル装着脚の中心を共通脚１２の中心から等距離の位置で、且つ共通脚１２の中心から等しい角度の間隔を保って配置する。各コイル装着脚１１ａ〜１１ｃの外周面と共通脚１２の外周面の間隔を等距離に設定する。共通脚１２におけるコイル装着脚１１ａ〜１１ｃとの対向部に凹部１５ａ〜１５ｃを形成し、この凹部がコイル装着脚の共通脚との対向面を取り囲む。【選択図】図５
2014220435.tif 000002
【特許請求の範囲】
【請求項１】
共通脚と、その周囲に配置された３本のコイル装着脚と、これら４本の脚の上下の端部に配置されて各脚を連結する上下のヨークと、前記各コイル装着脚にそれぞれ巻回されたコイルを備えたリアクタにおいて、
前記３本のコイル装着脚が同一断面形状で、各コイル装着脚の中心が前記共通脚の中心から等距離の位置で、且つ共通脚の中心から等しい角度の間隔を保って配置され、
前記共通脚の断面形状が前記コイル装着脚との対向部に凹部が形成されたもので、この凹部が前記コイル装着脚の共通脚との対向面を取り囲んでいる、
ことを特徴とするリアクタ。
【請求項２】
前記各コイル装着脚の外周面と前記共通脚の外周面の間隔が等距離に設定されていることを特徴とする請求項１に記載のリアクタ。
【請求項３】
前記コイル装着脚が円柱状で、前記共通脚の外周面に形成された前記凹部の内面が円弧状であることを特徴とする請求項１に記載のリアクタ。
【請求項４】
前記コイル装着脚が多角柱状で、前記共通脚の外周面に形成された前記凹部の内面が、前記コイル装着脚の多角柱の外周面と対向する平面を有する多角形であることを特徴とする請求項１に記載のリアクタ。
【請求項５】
前記コイル装着脚の断面積に対する前記共通脚の断面積が、０．８から１の範囲にあることを特徴とする請求項1から請求項４のいずれか１項に記載のリアクタ。
【請求項６】
前記リアクタが、３相リアクタであることを特徴とする請求項１から請求項５のいずれか１項に記載のリアクタ。
【請求項７】
前記リアクタが、インターリーブタイプのリアクタであることを特徴とする請求項１から請求項５のいずれか１項に記載のリアクタ。
【発明の詳細な説明】
【技術分野】
【０００１】
本発明は、３相リアクタやインターリーブタイプのリアクタとして使用されるリアクタに関する。
【背景技術】
【０００２】
特許文献１に記載されるように、コイルが巻回された３本の脚に対して１本の共通脚を有するリアクタは、従来から知られている。この種のリアクタを３相リアクタとして使用する場合には、３本の脚に巻回したコイルに３相交流の各相を接続する。電圧変換回路などにおいて、インターリーブタイプのリアクタとして使用する場合には、複数のコイルによって共通脚に発生する磁束が打ち消されるように３本の脚にコイルを巻回する。
【０００３】
従来、この種のリアクタでは、特許文献１のように、３本の脚と共通脚を１列に並べている。また、特許文献２の図７に示すように、中央に配置された円柱状の共通脚の周囲に四角形の頂点となるように４本の脚を配置している。
【先行技術文献】
【特許文献】
【０００４】
【特許文献１】特表２０１１−５０２４５７号公報
【特許文献２】特表２０１３−５０１３４６号公報
【発明の概要】
【発明が解決しようとする課題】
【０００５】
特許文献１のように、３本の脚と共通脚を平行に配置した場合には、コイルを巻回した各脚と共通脚との距離が異なることから、コイルごとの磁路長が異なってしまい、各コイルの磁気的なバランスが悪くなり、リアクタの特性を損なう。
【０００６】
特許文献２のように、４本の脚と共通脚との距離が等しい場合には、特許文献１のような不都合は解消されるが、共通脚が円柱状であるため、コイルを巻回した脚と共通脚との間では、両者の外周面の距離が円柱の周方向に沿って変化する。その結果、両者間に漏れ磁束が発生し、リアクタの周辺に配置された他の部品に対して発熱その他の磁気的な影響を与える。
【０００７】
本発明は、前記のような従来技術の問題点を解決するために提案されたものである。本発明は、３本の脚と共通脚の間に等しい磁束密度を有する磁路が形成されると共に、脚間における漏れ磁束の少ないリアクタを提供することを目的とする。
【課題を解決するための手段】
【０００８】
本発明は、共通脚と、その周囲に配置された３本のコイル装着脚と、これら４本の脚の上下の端部に配置されて各脚を連結する上下のヨークと、前記各コイル装着脚にそれぞれ巻回されたコイルを備えたリアクタにおいて、前記３本のコイル装着脚が同一断面形状で、各コイル装着脚の中心が前記共通脚の中心から等距離の位置で、且つ共通脚の中心から等しい角度の間隔を保って配置され、前記共通脚の断面形状が前記コイル装着脚との対向部に凹部が形成され、この凹部が前記コイル装着脚の共通脚との対向面を取り囲んでいることを特徴とする。
【０００９】
前記各コイル装着脚の外周面と前記共通脚の外周面の間隔が等距離に設定されていることが好ましい。前記各コイル装着脚が円柱状で、前記共通脚の外周面に形成された前記凹部の内面が円弧状であること、あるいは前記コイル装着脚が多角柱状で、前記共通脚の表面に形成された前記凹部の内面が、前記コイル装着脚の多角柱の外周面と対向する平面を有する多角形であることも本発明の一態様である。
【発明の効果】
【００１０】
本発明によれば、３つのコイルによってコア内部に形成される３つの磁路を等しい距離とすることによって、３つのコイル間に生じる磁気特性のばらつきをなくし、リアクタの性能向上を達成することができる。コイル装着脚との対向部に凹部を形成し、この凹部がコイル装着脚の共通脚との対向面を取り囲んだ場合には、コイル装着脚と共通脚間の漏れ磁束を減少することができる。
【図面の簡単な説明】
【００１１】
【図１】第１実施形態のリアクタの全体形状を示す斜視図。
【図２】図１のリアクタを下方から見た斜視図。
【図３】図１のリアクタのコア全体の斜視図。
【図４】図３のコア全体を下方から見た斜視図。
【図５】図３のコアの下半分の斜視図。
【図６】図３のコアの下半分を下方から見た斜視図。
【図７】第２実施形態のコアの下半分の斜視図。
【図８】第３実施形態のコアの下半分の斜視図。
【図９】第４実施形態のコアの下半分の斜視図。
【図１０】本発明におけるコイル装着脚と共通脚の断面積の比率（共通脚／コイル装着脚）について、インダクタンスと電流の関係を示すグラフ。
【発明を実施するための形態】
【００１２】
１．第１実施形態
以下、本発明の第１実施形態を図１から図６に従って具体的に説明する。
【００１３】
図１及び図２に示すように、本実施形態のリアクタは、コア１とそれに装着された３つのコイル２ａ〜２ｃを備えている。コア１は、図３及び図４に示すように、コイル２ａ〜２ｃが巻回される３本のコイル装着脚１１ａ〜１１ｃと、その中心に配置された共通脚１２と、上下のヨーク１３ａ，１３ｂを備えている。コイル２ａ〜２ｃは、ボビン２１ａ〜２１ｃに巻回された状態で、コイル装着脚１１ａ〜１１ｃの外周に嵌め込まれている。
【００１４】
コイル装着脚１１ａ〜１１ｃと共通脚１２は、上下のヨーク１３ａ，１３ｂの間に設けられた柱状の部材である。コイル装着脚１１ａ〜１１ｃ及び共通脚１２は、共に２個の同一断面の柱状の部材を上下に積み重ねて構成されている。各コイル装着脚１１ａ〜１１ｃは、その中心が共通脚１２の中心から等距離の位置で、且つ共通脚１２の中心から等しい角度（１２０°）の間隔を保って配置されている。なお、コイル装着脚１１ａ〜１１ｃ及び共通脚１２が１個の同一断面の柱状の部材から構成されていても良い。
【００１５】
正三角形に配置されたコイル装着脚１１ａ〜１１ｃに合わせて、上下のヨーク１３ａ，１３ｂも正三角形の平面形状を有し、その平面形状内に３本のコイル装着脚１１ａ〜１１ｃが収まるように、各コイル装着脚１１ａ〜１１ｃは上下のヨーク１３ａ，１３ｂの２つの辺に内接している。上下のヨーク１３ａ，１３ｂの各頂点の外周面１４ａ〜１４ｃは、円柱状のコイル装着脚１１ａ〜１１ｃの外周面と同一面となるように、円弧状になっている。
【００１６】
図５及び図６に示すように、各コイル装着脚１１ａ〜１１ｃは円柱状で、その円柱の外周面に合わせて、共通脚１２における各コイル装着脚との対向部には、円弧状に湾曲した内面を有する３箇所の凹部１５ａ〜１５ｃが形成されている。共通脚１２における３つの凹部１５ａ〜１５ｃに挟まれた部分の先端１６ａ〜１６ｃは曲線状に面取りされている。曲線状の面取りは、本発明において不可欠なものではなく、直線状の面取りでも良いし、面取りしなくても良い。
【００１７】
凹部１５ａ〜１５ｃの内面と、各コイル装着脚１１ａ〜１１ｃの外周面は、両者の間隔が等距離に設定されている。両者の間隔は、その間にコイル２ａ〜２ｃを巻回したボビン２１ａ〜２１ｃを挿入できる寸法で、共通脚１２と各コイル２ａ〜２ｃとは接触することがない。
【００１８】
各コイル装着脚１１ａ〜１１ｃと共通脚１２の断面積の比率（共通脚／コイル装着脚）は、０．８から１．０の範囲が好ましい。図１０は、リアクタに流れる電流割合（％）に対するインダクタンスの低下割合（％）を示すグラフである。図１０に示すように、共通脚の断面積の比率が小さくなり、０．７以下になると、コアが小電流で磁気飽和に達しリアクタのインダクタンスが急速に低下する現象が生じ、共通脚の断面積の比率が大きいと共通脚の使用によるリアクタの小型化の効果が薄れる。なお、図１０から分かるように、請求項に記載した断面積の比率の下限０．８はその数値に限定されものではなく、実質的に０．８と見なされる範囲を含む。
【００１９】
このような構成を有する本実施形態のリアクタを作成するには、下方のヨーク１３ｂの上面に、３本のコイル装着脚１１ａ〜１１ｃと共通脚１２の下端を固定し、コイル装着脚１１ａ〜１１ｃの上端からボビン２１ａ〜２１ｃに巻いたコイル２ａ〜２ｃを挿入する。その後、コイル装着脚１１ａ〜１１ｃと共通脚１２の上端に、上方のヨーク１３ａを被せて固定する。固定の方法は、各コアに対向面に塗布した接着剤を使用するか、各コアの対向面にスペーサなどを使用してギャップを形成し、接着剤で固定する。リアクタの特性や用途によっては、接着剤を使用することなく、スペーサを各コアの対向面で挟持する場合もある。
【００２０】
図５及び図６に示すように、上下のヨーク１３ａ，１３ｂのそれぞれに、３本のコイル装着脚１１ａ〜１１ｃと共通脚１２の上半分または下半分を固定し、各ヨーク１３ａ，１３ｂに固定した半分のコイル装着脚１１ａ〜１１ｃと共通脚１２の先端を、コイルのボビン２１ａ〜２１ｃ内に挿入しながら突き合わせて、上半分と下半分を固定しても良い。
【００２１】
このような構成を有する本実施形態においては、３本のコイル装着脚１１ａ〜１１ｃと共通脚１２とにより、等しい距離の３本の磁路を形成されるため、各コイルのインダクタンスが等しくなり、３相リアクタやインターリーブタイプのリアクタに適用した場合に、優れた特性を発揮することができる。コイル装着脚１１ａ〜１１ｃの外周面と共通脚１２の凹部１５ａ〜１５ｃ内面との距離が等しく設定され、しかも、共通脚１２の凹部１５ａ〜１５ｃがコイル装着脚１１ａ〜１１ｃを取り囲む様に配置されているので、コイル装着脚１１ａ〜１１ｃと共通脚１２間の漏れ磁束が少なくなり、磁気特性が向上すると共に、漏れ磁束による周囲の部品の発熱も防止でき、大電流用途にも適したリアクタを得ることができる。
【００２２】
２．第２実施形態
本実施形態は、図７に示すように、共通脚１２に形成する３つの凹部１５ａ〜１５ｃの内面を、多角形としたもので、他の構成は、第１実施形態と同様である。本発明における等距離や等しい間隔とは、寸法的に全く同一のものに限定されるものではなく、リアクタとして要求される磁気的性能の範囲であれば、ほぼ同一の範囲を含む。したがって、凹部１５ａ〜１５ｃの外周面とコイル装着脚１１ａ〜１１ｃの外周面の形状は、必ずしも同一の曲面である必要はなく、本実施形態のように曲面と角のある面との組み合わせでも良い。
【００２３】
本実施形態においても、コイル装着脚１１ａ〜１１ｃと共通脚１２とは等しい距離の磁路を形成することができる。また、コイル装着脚１１ａ〜１１ｃの外周面と共通脚１２の凹部１５ａ〜１５ｃ内面との距離が等しく設定され、しかも、共通脚１２の凹部１５ａ〜１５ｃがコイル装着脚１１ａ〜１１ｃを取り囲む様に配置されているので、コイル装着脚１１ａ〜１１ｃと共通脚１２間の漏れ磁束が少なくなる。
【００２４】
３．第３実施形態
本実施形態は、図８に示すように、コイル装着脚１１ａ〜１１ｃを六角柱としたものである。これに対応して、共通脚１２の凹部１５ａ〜１５ｃの内面も、１２０°の角度で屈曲した形状になっている。他の構成は、第１実施形態と同様である。コイル装着脚１１ａ〜１１ｃに巻回するコイル２ａ〜２ｃとしては、第１実施形態と同様に、円筒状のボビンに丸く巻いたものを使用しても良いし、装着脚の形状に合わせて六角筒状のボビンにコイルを六角形に巻回しても良い。
【００２５】
本実施形態においても、コイル装着脚１１ａ〜１１ｃと共通脚１２とは等しい距離の磁路を形成することができ、コイル装着脚１１ａ〜１１ｃの外周面と共通脚１２の凹部１５ａ〜１５ｃ内面との距離が等しく設定され、しかも、共通脚１２の凹部１５ａ〜１５ｃがコイル装着脚１１ａ〜１１ｃを取り囲む様に配置されているので、コイル装着脚１１ａ〜１１ｃと共通脚１２間の漏れ磁束が少なくなる。
【００２６】
４．第４実施形態
本実施形態は、図９に示すように、コイル装着脚１１ａ〜１１ｃを四角柱としたものである。共通脚１２の凹部１５ａ〜１５ｃの内面は、第１実施形態と同様に、円弧状に湾曲した形状である。他の構成は、第１実施形態と同様である。コイル装着脚１１ａ〜１１ｃに巻回するコイル２ａ〜２ｃとしては、第１実施形態と同様に、円筒状のボビンに丸く巻いたものを使用しても良いし、装着脚の形状に合わせて四角筒状のボビンにコイルを四角形に巻回しても良い。
【００２７】
本実施形態においても、コイル装着脚１１ａ〜１１ｃと共通脚１２とは等しい距離の磁路を形成することができ、しかも、共通脚１２の凹部１５ａ〜１５ｃがコイル装着脚１１ａ〜１１ｃを取り囲む様に配置されているので、コイル装着脚１１ａ〜１１ｃと共通脚１２間の漏れ磁束が少なくなる。コイル装着脚１１ａ〜１１ｃの外周面と共通脚１２の凹部１５ａ〜１５ｃ内面との距離は、前記各実施形態に比較すると、四角柱の各部で多少の差が生じるが、リアクトルに要求される磁気的性能の範囲であれば、同一とみなすことができる。
【００２８】
本実施形態において、共通脚１２の凹部１５ａ〜１５ｃの内面を、コイル装着脚１１ａ〜１１ｃの形状に合わせて多角形とすることも可能である。その場合は、コイル装着脚１１ａ〜１１ｃの外周面と共通脚１２の凹部１５ａ〜１５ｃ内面との距離を、どの部分でも同一とすることができると共に、共通脚１２の凹部１５ａ〜１５ｃで囲むコイル装着脚１１ａ〜１１ｃの範囲をより大きく取ることができ、漏れ磁束の低減効果が高い。
【００２９】
５．他の実施形態
本発明は、前記実施形態に限定されるものではなく、下記に示す他の実施形態も包含する。
【００３０】
（１）コイル装着脚を多角形状とし、共通脚の凹部を多角形とした場合、これら多角形の角の部分については、面取りしたり、曲線状に加工することも可能である。共通脚の周囲に形成された３つの凹部の縁や、３つの凹部に挟まれた部分についても、角の部分を面取りしたり、曲線状に加工することもできる。
【００３１】
（２）図示の実施形態は、コアを構成するコイル装着脚、共通脚及びヨークをそれぞれ別部材としたが、これらのすべてあるいは適宜の組み合わせを一体に構成することも可能である。これらの材質としては、フェライト、アモルファス、圧粉、積層などを単独あるいは組み合わせて使用することができる。
【００３２】
（３）コイル装着脚１１ａ〜１１ｃや共通脚１２の中段、あるいはコイル装着脚１１ａ〜１１ｃや共通脚１２と上下のヨーク１３ａ，１３ｂの接合部分に、スペーサあるいは充填材を使用したギャップやエアギャップを設けることができる。
【００３３】
（４）図５に示す実施形態では、上下のヨーク１３ａ，１３ｂのそれぞれに、３本のコイル装着脚１１ａ〜１１ｃと共通脚１２の上半分または下半分を固定し、両者を組み合わせることでリアクタを構成したが、いずれか一方のヨーク（例えば、下方のヨーク１３ｂ）に、図５の２倍の長さを有する３本のコイル装着脚１１ａ〜１１ｃと共通脚１２を固定し、これらコイル装着脚１１ａ〜１１ｃと共通脚１２の先端に板状のヨーク１３ａを固定しても良い。また、コイル装着脚１１ａ〜１１ｃと共通脚１２を短いものとする場合には、図形リスト５の何れか一方のヨークと板状のヨークとを組み合わせて、リアクタを構成することもできる。
【符号の説明】
【００３４】
１…コア
２ａ〜２ｃ…コイル
２１ａ〜２１ｃ…ボビン
１１ａ〜１１ｃ…コイル装着脚
１２…共通脚
１３ａ，１３ｂ…ヨーク
１４ａ〜１４ｃ…ヨークの外周面
１５ａ〜１５ｃ…凹部
１６ａ〜１６ｃ…先端
【図１】
2014220435.tif 000003
【図２】
2014220435.tif 000004
【図３】
2014220435.tif 000005
【図４】
2014220435.tif 000006
【図５】
2014220435.tif 000007
【図６】
2014220435.tif 000008
【図７】
2014220435.tif 000009
【図８】
2014220435.tif 000010
【図９】
2014220435.tif 000011
【図１０】
2014220435.tif 000012